(57)【特許請求の範囲】
【請求項１】
1)被収納物にかぶせて用いる収納筐体であって、
2)前記収納物を収納して保持できるように１端は底付きで、他端は開口状態である筒状の本体部、
3)前記本体部の他端側近傍の、前記本体部側面に設けられた腕部であって、前記本体部よりも小径の筒状で構成された第１の腕部、
4)前記本体部を挟んで、前記第１の腕部に対向して設けられた、前記第１の腕部と同形状の第２の腕部、
5)前記第１の腕部の前記本体部と離れた側の端部近傍に、その筒状内部に隠れた状態で取り付けられた第１の係合保持部、
6)前記第２の腕部の前記本体部と離れた側の端部近傍に、その筒状内部に隠れた状態で取り付けられ、前記第１の係合保持部と係脱可能な係合保持部であって、前記第１の係合保持部と係合した状態では、係合状態が保持される第２の係合保持部、
を備えたことを特徴とする収納筐体。
【請求項２】
請求項１の収納筐体において、
前記第１の係合保持部は前記第１の腕部に伸長可能部材を介して取り付けられており、前記第２の係合保持部は前記第２の腕部に伸長可能部材を介して取り付けられていること、
を特徴とするもの。
【請求項３】
請求項１の収納筐体において、
前記第１，第２の腕部の端部近傍に設けられた第１および第２の係合保持部は、前記腕部に完全に隠れていること、
を特徴とするもの。
【請求項４】
請求項１の収納筐体において、
前記第１，第２の腕部の端部近傍に設けられた第１および第２の係合保持部は、前記腕部にその一部が隠れていること、
を特徴とするもの。
【請求項５】
請求項１の収納筐体において、さらに、
前記第１の腕部とほぼ同形状の延長腕であって、一端に前記第１の係合保持部が他端に前記第２の係合保持部がそれぞれその前記延長腕内に隠れた状態で伸長可能部材を介して取り付けられた延長腕を備えていること、
を特徴とするもの。
【請求項６】
内部に内容物を収納可能でかつ前記内容物の出し入れ部に蓋が設けられた筒状部材にかぶせて用いる筒状筐体であって、
前記筒状部材を収納して保持できるように１端は底付きで、他端は開口状態の底付き筒状本体部、
前記筒状本体部の他端側近傍の、前記筒状本体部側面に設けられた腕部であって、前記筒状本体部よりも小径の筒状で構成された第１の腕部、
前記筒状本体部を挟んで、前記第１の腕部に対向して設けられた、前記第１の腕部と同形状の第２の腕部、
前記第１の腕部の前記筒状本体部と離れた側の端部近傍に、その筒状内部に隠れた状態で取り付けられた第１の係合保持部、
前記第２の腕部の前記筒状本体部と離れた側の端部近傍に、その筒状内部に隠れた状態で取り付けられ、前記第１の係合保持部と係脱可能な係合保持部であって、前記第１の係合保持部と係合した状態では、係合状態が保持される第２の係合保持部、
を備えたことを特徴とする筒状筐体。
【請求項７】
請求項６の筒状筐体において、
前記筒状本体部は、保温部材で構成されていること、
を特徴とするもの。
【請求項８】
請求項６の筒状筐体において、
前記筒状本体部は、縦長形状であり、前記第１，第２の腕部の長さは、前記筒状本体部を底面を下にして載置した場合に、前記筒状本体部と離れた側の端部が、前記載置面とほぼ同一面に位置する長さであること、
を特徴とするもの。
【請求項９】
請求項６の筒状筐体において、
前記筒状本体部の側面に、前記開口部とつながり、さらなる開口を可能とするファスナーを設けたこと、
を特徴とするもの。
【請求項１０】
請求項６の筒状筐体において、
前記筒状本体部の側面に、前記筒状部材の蓋を収納する収納ポケットを備えたこと、
を特徴とするもの。
【請求項１１】
請求項６の筒状筐体において、
前記筒状本体部の他端側近傍に、前記筒状部材の出し入れ部およびその近傍を覆うずきん部を備えたこと、
を特徴とするもの。
【請求項１２】
請求項１１の筒状筐体において、
前記ずきん部はずきん部周縁部にひもが設けられており、前記ひもを引っ張ることにより、巾着締め状態となること、
を特徴とするもの。
【請求項１３】
ペットボトルに充填された内容物について保温状態を保持したままつり下げる方法であって、
保温部材で構成され、１端は底付きで、他端は開口状態の底付き筒状本体部に前記ペットボトルを収納させ、
前記筒状本体部の他端側近傍の前記筒状本体部側面に前記筒状本体部よりも小径の筒状で構成された第１の腕部を設け、
前記腕部の先端近傍に、その筒状内部に隠れた状態で伸長可能部材を介して取り付けられた第１の係合保持部を設け、
前記筒状本体部を挟んで、前記第１の腕部に対向して設けられた前記第１の腕部と同形状の第２の腕部を設け、
前記第２の腕部の先端近傍にその筒状内部に隠れた状態で伸長可能部材を介して取り付けられる係合部であって、前記第１の係合保持部と係脱自在で、かつ、前記第１の係合保持部と係合した状態では、係合状態を保持させる第２の係合保持部を設け、
前記第１の係合保持部と前記第２の係合保持部とを係合状態として、前記ペットボトルをつり下げ可能としたこと、
を特徴とするペットボトルのつり下げ方法。
【発明の詳細な説明】
【０００１】
【発明の属する技術分野】
この発明は、内容物収納筒状部材の筐体に関し、特に、そのつり下げの機構に関する。
【０００２】
【背景技術】
今日、ペットボトルがジュース等の容器として用いられており、冷蔵または保温状態を保つために、ペットボトルの保冷具が販売されている。かかる保冷具は、ペットボトルの形状と同様に底付きの筒状をしており、ペットボトルを収納した状態で、保冷具のペットボトル収納入り口部分に設けられたひもを引っ張ると、巾着袋状態で前記入り口が締まり、手で保冷具を持つか、または、鞄などに収納することができる。
【０００３】
かかる保冷具について、発明者は、ホルダーの本体部分に把持するためのひも部を設けるとともに、ひも部の中央部近傍で、２つに分割できるように、着脱部材を設けた保冷具を考案した。これにより、使用時には分割したひもをつないだ状態とし、使用しないときには、分割状態とすることができる。これにより、鞄等につり下げた状態で持ち運びが可能となる。
【０００４】
【発明が解決しようとする課題】
しかしながら、上記考案した保冷具においては以下のような問題があった。分割した場合に、ひもの先端に設けられた着脱部材がじゃまになる。
【０００５】
この発明は、非係合時に係合保持部がじゃまにならない持ち運びの容易な筒状筐体を提供することを目的とする。
【０００６】
【課題を解決するための手段および発明の効果】
１）本発明にかかる収納筐体は、1)被収納物にかぶせて用いる収納筐体であって、2)前記収納物を収納して保持できるように１端は底付きで、他端は開口状態である筒状の底付き本体部、3)前記本体部の他端側近傍の、前記本体部側面に設けられた腕部であって、前記本体部よりも小径の筒状で構成された第１の腕部、4)前記本体部を挟んで、前記第１の腕部に対向して設けられた、前記第１の腕部と同形状の第２の腕部、5)前記第１の腕部の前記本体部と離れた側の端部近傍に、その筒状内部に隠れた状態で取り付けられた第１の係合保持部、6)前記第２の腕部の前記本体部と離れた側の端部近傍に、その筒状内部に隠れた状態で取り付けられ、前記第１の係合保持部と係脱可能な係合保持部であって、前記第１の係合保持部と係合した状態では、係合状態が保持される第２の係合保持部を備えている。このように、前記第１の腕部，第２の腕部を筒状で構成し、前記第１の係合保持部，第２の係合保持部をそれぞれ前記第１の腕部，第２の腕部内に収納する。したがって、前記第１，第２の腕部からに露出させて両者を係合させ、係合後は収納される。これにより、非係合時に前記第１の係合保持部，第２の係合保持部が外部に露出することがなく、前記第１の係合保持部，第２の係合保持部がじゃまにならない。
２）本発明にかかる収納筐体においては、前記第１の係合保持部は前記第１の腕部に伸長可能部材を介して取り付けられており、前記第２の係合保持部は前記第２の腕部に伸長可能部材を介して取り付けられている。したがって、前記腕部の素材が堅い場合でも、容易に係合させることができる。
【０００７】
３）本発明にかかる収納筐体においては、前記第１，第２の腕部の端部近傍に設けられた第１および第２の係合保持部は、前記腕部に完全に隠れている。したがって、前記第１の係合保持部，第２の係合保持部が全くじゃまにならない。
【０００８】
４）本発明にかかる収納筐体においては、前記第１，第２の腕部の端部近傍に設けられた第１および第２の係合保持部は、前記腕部にその一部が隠れている。したがって、前記第１の係合保持部，第２の係合保持部がほとんどじゃまにならない。
【０００９】
５）本発明にかかる収納筐体は、前記第１の腕部とほぼ同形状の延長腕であって、一端に前記第１の係合保持部が他端に前記第２の係合保持部がそれぞれその前記延長腕内に隠れた状態で伸長可能部材を介して取り付けられた延長腕を備えている。したがって、前記第１の係合保持部と前記第２の係合保持部を係合させた場合に、より長い輪を得ることができる。
【００１０】
６）本発明にかかる筒状筐体は、内部に内容物を収納可能でかつ前記内容物の出し入れ部に蓋が設けられた筒状部材にかぶせて用いる筒状筐体であって、1)前記筒状部材を収納して保持できるように１端は底付きで、他端は開口状態の底付き筒状本体部、2)前記筒状本体部の他端側近傍の、前記筒状本体部側面に設けられた腕部であって、前記筒状本体部よりも小径の筒状で構成された第１の腕部、3)前記筒状本体部を挟んで、前記第１の腕部に対向して設けられた、前記第１の腕部と同形状の第２の腕部、4)前記第１の腕部の前記筒状本体部と離れた側の端部近傍に、その筒状内部に隠れた状態で取り付けられた第１の係合保持部、5)前記第２の腕部の前記筒状本体部と離れた側の端部近傍に、その筒状内部に隠れた状態で取り付けられ、前記第１の係合保持部と係脱可能な係合保持部であって、前記第１の係合保持部と係合した状態では、係合状態が保持される第２の係合保持部を備えている。このように、前記第１の腕部，第２の腕部を筒状で構成し、前記第１の係合保持部，第２の係合保持部をそれぞれ前記第１の腕部，第２の腕部内に収納する。したがって、前記第１，第２の腕部からに露出させて両者を係合させ、係合後は収納される。これにより、非係合時に前記第１の係合保持部，第２の係合保持部が外部に露出することがなく、前記第１の係合保持部，第２の係合保持部がじゃまにならない。
【００１１】
７）本発明にかかる筒状筐体においては、前記筒状本体部は、保温部材で構成されている。したがって、前記筒状筐体の内容物を保温状態で保持できる。
【００１２】
８）本発明にかかる筒状筐体においては、前記筒状本体部は、縦長形状であり、前記第１，第２の腕部の長さは、前記筒状本体部を底面を下にして載置した場合に、前記筒状本体部と離れた側の端部が、前記載置面とほぼ同一面に位置する長さである。したがって、前記第１の係合保持部と前記第２の係合保持部を係合させた場合に、前記筒状本体部とほぼ同じ程度の長さの輪を得ることができる。
【００１３】
９）本発明にかかる筒状筐体は、前記筒状本体部の側面に、前記開口部とつながり、さらなる開口を可能とするファスナーが設けられている。したがって、前記ファスナーを開けることにより、前記筒状筐体の挿入が容易となる。
【００１４】
１０）本発明にかかる筒状筐体は、前記筒状本体部の側面に、前記筒状部材の蓋を収納する収納ポケットを備えている。したがって、蓋を外しても、これを保持することができる。
【００１５】
１１）本発明にかかる筒状筐体は、前記筒状本体部の他端側近傍に、前記筒状部材の出し入れ部およびその近傍を覆うずきん部を備えている。したがって、蓋を外しても、これを保持することができるとともに、前記蓋部分を覆うことにより、ゴミの付着を防止することができる。
１２）本発明にかかる筒状筐体においては、前記ずきん部はずきん部周縁部にひもが設けられており、前記ひもを引っ張ることにより、巾着締め状態となる。したがって、より密封状態とすることができる。
１３）本発明にかかるペットボトルに充填された内容物について保温状態を保持したままつり下げる方法においては、1)保温部材で構成され、１端は底付きで、他端は開口状態の底付き筒状本体部に前記ペットボトルを収納させ、2)前記筒状本体部の他端側近傍の前記筒状本体部側面に前記筒状本体部よりも小径の筒状で構成された第１の腕部を設け、3)前記腕部の先端近傍に、その筒状内部に隠れた状態で伸長可能部材を介して取り付けられた第１の係合保持部を設け、4)前記筒状本体部を挟んで、前記第１の腕部に対向して設けられた前記第１の腕部と同形状の第２の腕部を設け、5)前記第２の腕部の先端近傍にその筒状内部に隠れた状態で伸長可能部材を介して取り付けられる係合部であって、前記第１の係合保持部と係脱自在で、かつ、前記第１の係合保持部と係合した状態では、係合状態を保持させる第２の係合保持部を設け、6)第１の係合保持部と前記第２の係合保持部とを係合状態として、前記ペットボトルをつり下げ可能とした。したがって、前記係合保持部を非係合状態とすることにより、つり下げ状態を解除できる。また、両者を係合させる時には、前記第１，第２の腕部から容易に露出させることができ、係合後は再度、収納される。これにより、非係合時に前記第１の係合保持部，第２の係合保持部が外部に露出することがなく、前記第１の係合保持部，第２の係合保持部がじゃまにならない。
【００１６】
実施形態では、筒状筐体はペットボトルホルダー１に、第１の腕部は左アーム５，第２の腕部は右アーム７に、筒状本体部はボディ３に、第１の係合保持部はオス片１５に、第２の係合保持部はメス片１７に、伸長可能部材は、ゴム１６，１８に、延長腕はアダプター４１に、それぞれ対応する。
【００１７】
なお、筒状筐体とは、丸筒および角筒（多角形筒を含む）を含む概念である。また、保温とは、常温よりも冷たい状態で保持する冷温保存および常温よりも熱い状態で保持する熱温保存を含む。また、筒状本体部の１端が底付きとは、完全に底がある場合はもちろん、一部に穴があいていても、前記筒状部材が保持できる場合も含む概念である。
【００１８】
【発明の実施の形態】
本発明の一実施形態を図面に基づいて説明する。図１にペットボトル２を収納したペットボトルホルダー１の斜視図を示す。ペットボトルホルダー１は本体３、左アーム５、および右アーム７を備えている。本体３は２重構造であり、内側が保温部材である保冷布、外側がウール生地で構成されている。図１に示すように、ペットボトル２を挿入する開口部２３を有する筒状であり、側面にファスナー２１が設けられている。ファスナー２１を開口することにより、開口部２３が拡大し、ペットボトル２の挿入が容易となる。
【００１９】
左アーム５はボディ３の開口部２３の近傍の側面に設けられている。左アーム５は、ボディ３よりも小さな径の筒状のウェット布地で構成されており、その長さは、ボディ３の底面を載置面に載置した場合に、載置面に先端がふれる程度である。左アーム５の先端近傍には、図２に示すようなサイドリリースバックルのオス片１５がゴム１６を介して、左アーム５の内部に収納された状態で内部に縫いつけられている。
【００２０】
図１に示すように、右アーム７はボディ３を挟んで、左アーム５に対向して設けられており、形状は左アーム５と同様である。また、右アーム７の先端近傍には、図２に示すようなサイドリリースバックルのメス片１７がゴム１８を介して、右アーム７の内部に収納された状態で内部に縫いつけられている。
【００２１】
図１に示すように、ファスナー２１を挟んで、２つのポケット１１，１３が、ボディー３の側面に設けられている。ポケット１１，１３は、ウェット布地で構成されており、左アーム５，右アーム７の先端を収納可能である。また、ポケット１１，１３には、ペットボトル２のふた４を収納することもできる。
【００２２】
図３を用いて、ペットボトルホルダー１の使用方法について説明する。この例では、カバン３３の取っ手３１にペットボトルホルダー１を取り付けている。ユーザは、左アーム５を少しめくってオス片１５を露出させて、左アーム５を取っ手３１にくぐらせる。右アーム７を少しめくってメス片１７を露出させる。メス片にオス片１５を挿入させて、両者をロック状態とする。これにより、ペットボトルホルダー１は取っ手３１につり下げ状態となる。外すときは、オス片１５の端部１５ａを両手で挟んで引っ張ることにより、ロック状態が解除される。
【００２３】
このように、本実施形態においては、オス片１５，メス片１７はそれぞれ左アーム５，右アーム７内にゴム１６，１８を介して収納されている。したがって、両者を係合させる時には、左アーム５，右アーム７から容易に露出させることができ、係合後は再度、左アーム５，右アーム７内に収納される。したがって、非係合時にオス片１５，メス片１７が外部に露出することがない。
【００２４】
図４に他の実施形態を示す。図４は、フード部分を設けたペットボトルホルダー６０を示す。ペットボトルホルダー６０は、さらに、開口部２３の近傍にフード部６１（ずきん部）を有する。フード部６１の周縁部６３にはひも６５が内蔵されており、図５に示すようにひも６５を引っ張っることにより、図５Ａに示す状態から、図５Ｂに示すように、ペットボトル２を覆い隠す状態とすることができる。したがって、カバン等にペットボトルホルダー６０をつり下げた場合でも、ペットボトル２の飲料口周辺へのゴミなどの付着を防止できる。なお、本明細書においては、図５Ｂに示すように、周縁部６３に内蔵されたひも６５を引っ張ってフード部６１を開口状態から閉口状態とした状態を巾着締め状態という。
【００２５】
また、フード部６１には、図６に示すように、ふた４を収納させることもできる。図６Ａは、上から見た図であり、図６Ｂは斜視図である。また、かかる状態から、ひも６５を引っ張って、巾着締め状態とすることにより、ふた４を覆い包むように、収納することもできる。
【００２６】
図７に、ボディの形態を変形させたペットボトルホルダー７０を示す。ペットボトルホルダー７０は、ボディ７２が下ボディ７３および上ボディ７５で構成されている。下ボディ７３はボディ７２の約３／１程度である。おり、下ボディ７３は筒状であり、上ボディ７５は側面が面ファスナー（接着布）７７で開口可能に構成されている。このように、ボディ７５を開口可能な上ボディ７５と開口不可能な下ボディ７３で構成することにより、手の不自由なユーザであっても、ペットボトルホルダーにペットボトルを収納させることが容易となる。さらに、面ファスナー７７で開口部を閉じることができるので、かかる閉口処理も容易となる。
【００２７】
また、本実施形態においては、以下のような効果がある。ペットボトルには本体部の径はほとんど同じで本体部の高さだけが低いタイプがある。このような背の高さか低いペットボトルをホールドした場合、前記第１実施形態であれば、ペットボトルホルダーから取り出さないと、内容物を飲用することが困難である。これに対して、このようにボディ７０が下ボディ７３の高さまでを開口可能に構成することにより、ペットボトルは下ボディ７３で保持されるので、上ボディ７２を取り外すだけで、飲用することができる。
【００２８】
なお、上ボディと下ボディの割合については、約半分程度でも、よく、その割合については限定されない。
【００２９】
また、上記実施形態においては、ボディ３の側面にファスナー２１を設けたが、ファスナー２１を省略してもよい。この場合には、開口部全体をひも状のゴムなどを取付けて、ペットボトル２の挿入時には開口部が大きくなり、挿入後は開口部が小さくなるようにしてもよい。また、ひも状のゴムではなく、ひもを通しておき、ひもを引っ張ることにより、開口部の大きさを調整できるようにしてもよい。
【００３０】
ファスナー２１の代わりに面ファスナー、ボタンなどを用いて、留めるようにしてもよい。
【００３１】
また、ファスナー２１を設ける位置については限定されず、例えば、底部３ａの周縁（側面との境目）に設けて、ここを開口して、底側からペットボトル２を挿入するようにしてもよい。この場合、開口部は少なくとも、ペットボトル２の先端を露出させる大きさがあればよい。
【００３２】
なお、上記実施形態においては、左アーム５，右アーム７の長さを底部３ａにつくくらいとしたが、これよりも長くても短くてもよい。また、図８に示すようなアダプター４１を用いて、左アーム５，右アーム７を係合させた場合の腕の長さを調整できるようにしてもよい。アダプター４１は、一端に左アーム５と同様にゴム４８を介してオス片４７が、他端に右アーム７と同様にゴム４６を介してメス片４５が収納状態で取り付けられている。使用方法としては、アダプター４１のオス片と右アーム７のメス片とをロック状態とし、アダプター４１のメス片と左アーム５オス片とをロック状態とすればよい。
【００３３】
さらに、アダプター４１を２つ用意し、左アーム５に１つのアプター４１を、右アーム７にもう１つアダプター４１を取り付けるようにしてもよい。
【００３４】
なお、上記実施形態においては、係合保持部としてオス片１５，メス片１７を採用したが、着脱自在であり、係合状態が保持できるものであれば、他の構造でも適用可能である。
【００３５】
なお、上記実施形態においては、ボディ３を保温部材で構成したが、保温部材でなくてもよい。
【００３６】
また、上記実施形態においては、オス片１５，メス片１７が、それぞれ左アーム５，右アーム７内に完全に収納された状態で、取り付けられている。しかし、先端の一部が出ている程度で取り付けるようにしてもよい。
【００３７】
なお、上記実施形態においては、伸長可能部材としてゴムを用いたが他の伸長可能部材を用いてもよい。
【００３８】
なお、本実施形態においては、筒状部材としてペットボトルである場合について説明したが、内容物として飲食物（液体はもちろん、アイスクリーム等の固形を含む）を収納し、蓋をあけて、内容物を飲食することができる筒状筐体であれば同様に適用することができる。
【００３９】
さらに、蓋をあけて、内容物を飲食することができる筒状筐体以外でも、適用可能である。すなわち、1)被収納物にかぶせて用いる収納筐体であって、2)前記収納物を収納して保持できるように１端は底付きで、他端は開口状態の底付き本体部、3)前記本体部の他端側近傍の、前記本体部側面に設けられた腕部であって、前記本体部よりも小径の筒状で構成された第１の腕部、4)前記本体部を挟んで、前記第１の腕部に対向して設けられた、前記第１の腕部と同形状の第２の腕部、5)前記第１の腕部の前記本体部と離れた側の端部近傍に、その筒状内部に隠れた状態で取り付けられた第１の係合保持部、6)前記第２の腕部の前記本体部と離れた側の端部近傍に、その筒状内部に隠れた状態で取り付けられ、前記第１の係合保持部と係脱可能な係合保持部であって、前記第１の係合保持部と係合した状態では、係合状態が保持される第２の係合保持部を備えたことを特徴とする収納筐体について、適用可能である。
【図面の簡単な説明】
【図１】本発明にかかるペットボトルホルダー１の外観を示す。
【図２】オス片、メス片の詳細を示す。
【図３】図１に示すペットボトルホルダー１の使用状態を示す。
【図４】他の実施形態であるペットボトルホルダー６０の外観を示す。
【図５】ペットボトルホルダー６０の使用状態を説明する図である。
【図６】ペットボトルホルダー６０の使用状態を説明する図である。
【図７】他の実施形態であるペットボトルホルダー７０の外観を示す。
【図８】アダプター４１の外観図を示す。
【符号の説明】
１・・・・ペットボトルホルダー
２・・・・ペットボトル
３・・・・ボディ
４・・・・ふた
５・・・・左アーム
７・・・・右アーム
１１・・・ポケット
１３・・・ポケット
１５・・・オス片
１６・・・ゴム
１７・・・メス片
１８・・・ゴム
２１・・・ファスナー
２３・・・開口部
４１・・・アダプター
【図１】
0003665735.tif 000002
【図２】
0003665735.tif 000003
【図３】
0003665735.tif 000004
【図４】
0003665735.tif 000005
【図５】
0003665735.tif 000006
【図６】
0003665735.tif 000007
【図７】
0003665735.tif 000008
【図８】
0003665735.tif 000009